(57)【要約】本発明の一実施形態として、人の画像を、登録された人の画像として、蓄積するとともにその人の平均的な移動の速さの情報を蓄積する情報蓄積部と、画像を撮影する画像撮影部と、撮影された画像より人の画像を抽出する抽出部と、撮影された画像より人の移動を検出する移動検出部と、抽出された人の画像と前記情報蓄積部に蓄積されている人の画像とを比較し、また、前記移動検出部による移動の量と移動の速さの情報とを比較し、前記抽出部により抽出された人の画像が、登録された人の画像であるかどうかを判断する判断部と、前記判断部による判断の結果に前記判断がされた時刻を関連付けて記録する記録部と、前記記録部が記録した内容を、通信網を介して、閲覧可能とする閲覧可能化部とを有する撮影記録装置を提供する。
2013069565.tif 000002
【特許請求の範囲】
【請求項１】
人の画像を、登録された人の画像として、蓄積するとともにその人の平均的な移動の速さの情報を蓄積する情報蓄積部と、
画像を撮影する画像撮影部と、
前記画像撮影部により撮影された画像より人の画像を抽出する抽出部と、
前記画像撮影部により撮影された画像より人の移動を検出する移動検出部と、
前記抽出部により抽出された人の画像と前記情報蓄積部に蓄積されている人の画像とを比較し、また、前記移動検出部による移動の量と移動の速さの情報とを比較し、前記抽出部により抽出された人の画像が、登録された人の画像であるかどうかを判断する判断部と、
前記判断部による判断の結果に前記判断がされた時刻を関連付けて記録する記録部と、
前記記録部が記録した内容を閲覧可能とする閲覧可能化部と
を有する撮影記録装置。
【請求項２】
前記判断部は、前記抽出部により抽出された人の画像が、登録された人の画像であると推定すると、前記人の一定時間後の位置を予測し、その位置に前記人が前記画像撮影部に撮影されていれば、登録された人の画像であると判断することを特徴とする請求項１に記載の撮影記録装置。
【請求項３】
前記判断部は、最初に前記画像撮影部により人が撮影されてから所定の時間内に登録された人の画像であると判断できなければ、その人を不審者と判断することを特徴とする請求項１または２に記載の撮影記録装置。
【請求項４】
前記閲覧可能化部は、前記記録部が記録した内容を定期的に電子メールとして送信する送信部を有する請求項１から３のいずれかに記載の撮影記録装置。
【請求項５】
前記閲覧可能化部は、前記記録部が記録した内容の統計処理を行なう統計処理部を有し、前記統計処理部の統計処理の結果を閲覧可能とする請求項１から４のいずれかに記載の撮影記録装置。
【請求項６】
前記記録部は、前記画像撮影部により撮影された画像を前記判断部による判断の結果に関連付けて記録する請求項１から５のいずれかに記載の撮影記録装置。
【請求項７】
前記判断部による判断の結果が登録された人の画像でないと判断された前記記録部に記録された人の画像が、その後、前記判断部による判断の結果が登録された人の画像であると判断されると、前記記録部は、前記人の画像に関連付けて記録されている前記判断部による判断の結果を更新する請求項６に記載の撮影記録装置。
【請求項８】
前記記録部が前記画像撮影部により撮影された画像を前記判断部による判断の結果に関連付けて記録するかどうかを設定する記録設定部を有する請求項６に記載の撮影記録装置。
【請求項９】
前記記録部は、記録容量が不足した場合、最も過去に記録した内容を削除する請求項１から８のいずれかに記載の撮影記録装置。
【請求項１０】
前記画像撮影部は、赤外線画像、白黒画像およびカラー画像のいずれか一以上を撮影する請求項１から９のいずれかに記載の撮影記録装置。
【請求項１１】
人の画像を、登録された人の画像として、蓄積するとともにその人の平均的な移動の速さの情報を蓄積する情報蓄積部と、
ネットワークを介して画像撮影装置により受信された画像より人の画像を抽出する抽出部と、
前記ネットワークを介して前記画像撮影装置により受信された画像より人の移動を検出する移動検出部と、
前記抽出部により抽出された人の画像と前記情報蓄積部に蓄積されている人の画像とを比較し、また、前記移動検出部による移動の量と移動の速さの情報とを比較し、前記抽出部により抽出された人の画像が、登録された人の画像であるかどうかを判断する判断部と、
前記判断部による判断の結果に前記判断がされた時刻を関連付けて記録する記録部と、
前記記録部が記録した内容を閲覧可能とする閲覧可能化部と
を有するサーバ。
【請求項１２】
人の画像を、登録された人の画像として、蓄積するとともにその人の平均的な移動の速さの情報を蓄積し、
ネットワークを介して画像撮影装置により受信された画像より人の画像を抽出し、
前記ネットワークを介して前記画像撮影装置により受信された画像より人の移動を検出し、
前記抽出された人の画像と、人の画像を、登録された人の画像として、蓄積するとともにその人の平均的な移動の速さの情報を前記蓄積されている人の画像とを比較し、また、前記検出された移動の量と移動の速さの情報とを比較し、前記抽出された人の画像が、登録された人の画像であるかどうかを判断し、
前記判断の結果に前記判断がされた時刻を関連付けて記録し、
前記記録内容を閲覧可能とする画像撮影方法。
【請求項１３】
前記画像撮影装置が設置されたセンサより情報を受信し、前記判断の結果とともに前記判断がされた時刻を関連付けて記録する請求項１２に記載の画像撮影方法。
【発明の詳細な説明】
【技術分野】
【０００１】
本発明は、撮影記録装置に関する。特に、離れた場所に居住する人を認識し、また、ネットワークを介して、見守るためなどのために用いる撮影記録装置に関する。
【背景技術】
【０００２】
核家族化、ライフスタイルの違い等を背景として、子供や親族と同居せずに高齢者のみで構成される世帯が増えている。このため、同居していない子供や親族は、手紙や電話などの通信手段を用いて、高齢者の安否を確認している。また、特許文献１などに示されるように、ネットワークカメラなどを用いて高齢者を監視するための監視システムや介護システムに係る技術が知られている。
【先行技術文献】
【特許文献】
【０００３】
【特許文献１】特開２０１０−４００１７号公報
【特許文献２】特開２０１０−１９８５０４号公報
【発明の概要】
【発明が解決しようとする課題】
【０００４】
しかしながら、手紙や電話などの通信手段を用いる場合には、高齢者の現在の状況を知ることが困難である。例えば、高齢者が電話などに応答しない状況が続くと、高齢者の状況が不明となってしまう。また、特許文献１、２のようにネットワークカメラを用いると、確かに、リアルタイムに高齢者の状況を知ることが可能となるが、画像データの送受信量が膨大なものとなってしまう。【０００５】
また、人の顔を認識する技術は十分に実用化されたとは言えず、認識のためにはカメラに対して正対する必要があるなど、一般の家庭では利用が困難である。
【課題を解決するための手段】
【０００６】
そこで、本発明の一実施形態として、人の画像を、登録された人の画像として、蓄積するとともにその人の平均的な移動の速さの情報を蓄積する情報蓄積部と、画像を撮影する画像撮影部と、前記画像撮影部により撮影された画像より人の画像を抽出する抽出部と、前記画像撮影部により撮影された画像より人の移動を検出する移動検出部と、前記抽出部により抽出された人の画像と前記情報蓄積部に蓄積されている人の画像とを比較し、また、前記移動検出部による移動の量と移動の速さの情報とを比較し、前記抽出部により抽出された人の画像が、登録された人の画像であるかどうかを判断する判断部と、前記判断部による判断の結果に前記判断がされた時刻を関連付けて記録する記録部と、前記記録部が記録した内容を閲覧可能とする閲覧可能化部とを有する撮影記録装置を提供する。【０００７】
また、判断部は、前記抽出部により抽出された人の画像が、登録された人の画像であると推定すると、前記人の一定時間後の位置を予測し、その位置に前記人が前記画像撮影部に撮影されていれば、登録された人の画像であると判断してもよい。【０００８】
また、判断部は、最初に前記画像撮影部により人が撮影されてから所定の時間内に登録された人の画像であると判断できなければ、その人を不審者と判断してもよい。
【発明の効果】
【０００９】
本発明によれば、撮影された人の画像をそのまま閲覧可能とするのではなく、登録された人の画像などの情報と比較して判断した結果が閲覧可能となるので、通信量を削減することができる。これにより、例えば、緊急時などに通信の規制に遭う可能性を低くし、迅速な連絡が可能となる。
【図面の簡単な説明】
【００１０】
【図１】本発明の一実施形態に係るシステムの構成図
【図２】本発明の一実施形態に係る撮影記録装置の機能ブロック図
【図３】本発明の一実施形態に係る撮影記録装置の登録画像蓄積部に蓄積される情報の一例図
【図４】本発の一実施形態に係る映像記録装置により撮影された画像から人の画像を抽出する処理を説明する図
【図５】本発明の一実施形態に係る映像記録装置に記録され、閲覧可能とされる情報の一例図
【図６Ａ】本発明の一実施形態に係る映像記録装置の処理のフローチャート
【図６Ｂ】本発明の一実施形態に係る映像記録装置の処理のフローチャート
【図７】本発明の一実施形態に係る撮影記録装置の機能ブロック図
【図８】本発の一実施形態に係る映像記録装置により撮影された画像から人の移動を検出する処理を説明する図
【図９】本発明の一実施形態に係る映像記録装置に記録され、閲覧可能とされる情報の一例図
【図１０】本発明の一実施形態に係る撮影記録装置の機能ブロック図
【図１１】本発明の一実施形態に係る撮影記録装置の機能ブロック図
【図１２】本発明の一実施形態に係る撮影記録装置の機能ブロック図
【図１３】本発明の一実施形態に係る撮影記録装置の機能ブロック図
【図１４】本発明の一実施形態に係る情報蓄積部の蓄積する表データの一例図
【図１５】本発明の一実施形態に係る情報蓄積部の蓄積する表データの一例図
【図１６】本発明の一実施形態に係る撮影記録装置による移動予想位置の算出を説明する図
【図１７】本発明の一実施形態に係る撮影記録装置の処理のフローチャート
【図１８】本発明の一実施形態に係る撮影記録装置の処理のフローチャート
【図１９】本発明の一実施形態に係るシステムの構成図
【発明を実施するための形態】
【００１１】
以下、本発明を実施するための形態を、発明の概略およびいくつかの実施形態として説明する。なお、本発明は以下に説明する発明の概略および実施形態に限定して解釈されるべきではない。また、本発明は以下に説明する発明の概略および実施形態を種々に変形させて実施することが可能である。なお、図面において、同じまたは同様の機能を有する部分には同じ符号を割り当て、説明を省略する場合がある。
【００１２】
（発明の概略）
図１は、本発明の一実施形態に係る撮影記録装置を用いた見守りシステムの概略を示す。見守りシステム１００は、家屋などの施設１０１に設置された撮影記録装置１０２と、インターネットなどの通信ネットワーク１０３を介して接続される端末装置１０４とを有する。そして、撮影記録装置１０２は、施設１０１内に居る人１０５の画像を撮影し、その判断の結果などを端末装置１０４に閲覧可能に提供する。また、端末装置１０４より、撮影記録装置１０２が撮影した画像を閲覧することも可能である。閲覧される画像は、撮影記録装置１０２が撮影して蓄積した画像であってもよいし、現在の画像であってもよい。また、画像は静止画像であってもよいし、動画像であってもよい。また、音声が付随していてもよい。
【００１３】
撮影記録装置１０２は、通信ネットワーク１０３に有線あるいは無線により接続される。例えば、施設１０１に引き込まれた光ファイバ回線や、施設１０１に配置され、通信ネットワーク１０３に直接または間接に接続されている無線ＬＡＮのアクセスポイントなどを用いて、撮影記録装置１０２がネットワーク１０３に接続される。あるいは、携帯電話用のデータ通信網を介して、撮影記録装置１０２が通信ネットワーク１０３に接続されていてもよい。なお、通信ネットワークを以下ではネットワークと略記する場合がある。
【００１４】
端末装置１０４は、パーソナルコンピュータや、ＰＤＡ（Ｐｅｒｓｏｎａｌ  Ｄｉｇｉｔａｌ  Ａｓｓｉｓｔａｎｃｅ）やブラウザなどを備えた携帯電話などの携帯情報機器などである。端末装置１０４も、ネットワーク１０３に有線あるいは無線により接続される。例えば、端末装置１０４がパーソナルコンピュータやＰＤＡなどであれば、光ファイバ回線や無線ＬＡＮのアクセスポイントなどを介してネットワーク１０３に接続される。また、端末装置１０４が携帯電話などであれば、携帯電話用のデータ通信網を介して、端末装置１０４がネットワーク１０３に接続されてもよい。なお、端末装置１０４は、ネットワークなどを介さずに直接、撮影記録装置１０２に接続されていてもよい。
【００１５】
本実施形態においては、撮影記録装置１０２には、施設１０１に居り撮影される可能性がある人の情報、例えば、人の画像、が蓄積される。そして、撮影記録装置１０２が画像を撮影する。例えば、一定の時間毎に撮影を行なったり、人が撮影領域に入ったことが赤外線センサ、重量センサ、ＲＦＩＤタグなどの人感センサを用いて検出されたときに撮影を行なったりする。また、部屋の中の電化製品の使用の開始が検出されると撮影が行なわれてもよい。
【００１６】
撮影が行なわれると、撮影記録装置１０２は、撮影された画像から人の画像を抽出する。例えば、人の顔の部分の画像を取り出したり、人の着用している衣服の部分の画像を取り出したりする。そして、撮影記録装置１０２は、抽出された人の画像が、登録された人であるかどうかを、登録された人の画像などの情報と比較し、登録された人の画像であるかどうかを判断する。例えば、施設１０１に居住しているＡさんであるかどうかや、施設１０１を定期的に訪問する介護ヘルパーであるかどうかや、あるいは登録されていない人であるかどうかなどが判断される。
【００１７】
撮影記録装置１０２は、判断を行なうと、判断の結果に時刻を関連付けて記録する。その後、端末装置１０４よりＨＴＴＰ（Ｈｙｐｅｒ  Ｔｅｘｔ  Ｔｒａｎｓｆｅｒ  Ｐｒｏｔｏｃｏｌ）などを用いて撮影記録装置１０２にアクセスが行なわれると、撮影記録装置１０２は、記録されている情報を端末装置１０４に提供する。これにより、端末装置１０４は、撮影記録装置１０２に記録されている一部または全ての情報を閲覧することができる。なお、特定の端末装置１０４からのアクセスを許可するために、撮影記録装置１０２は、アクセスを行なった端末装置１０４を認証するようになっていてもよい。認証の方法としては、ＩＤとパスワードとを組み合わせる方法や、電子証明書を用いる方法など任意の方法を用いることができる。
【００１８】
なお、撮影記録装置１０２は、撮影された画像から抽出された画像の人が登録されていないと判断した場合であっても、撮影がされた人の動きを予測などして、登録されていないと判断されたが同じ人であることを認識しつつ追尾などを行ない、その後、登録された人であることが判明すると、撮影が開始された時刻に遡って、登録された人であることを記録するようになっていてもよい。なお、「登録されていないと判断されたが同じ人であることを認識しつつ」とは、その人が移動を行ない、柱などの障害物に隠れて撮影が中断し、その後に撮影が再開されるようになったときでも、別の人とは認識せずに、先に登録されていないと判断された人と同じ人であるとの処理を行なうことを意味する。
【００１９】
また、撮影記録装置１０２は、撮影した画像を記録し、端末装置１０４に提供してもよい。一般に画像の情報は情報量が大きいので、撮影記録装置１０２の記憶領域を圧迫する場合があるので、もし記憶領域が圧迫された場合などには、最も過去に撮影した画像から削除を行なうように構成されていてもよい。
【００２０】
また、人の移動の程度を計測し、移動の程度を統計処理などして、その人の運動機能の低下などが検出されるようになっていてもよい。また、撮影領域に居る時間、居ない時間との割合を統計処理などして、行動パターンが変化したことが検出されるようになっていてもよい。
【００２１】
また、人の移動の平均の速さなどの情報を蓄積しておき、撮影された複数の画像から時間あたりの移動距離などを算出して誰であるかを判断あるいは推定を行ってもよい。
【００２２】
（実施形態１）
図２は、本発明の実施形態１に係る撮影記録装置の機能ブロック図を示す。撮影記録装置２００は、登録画像蓄積部２０１と、画像撮影部２０２と、抽出部２０３と、判断部２０４と、記録部２０５と、閲覧可能化部２０６とを有する。
【００２３】
登録画像蓄積部２０１は、人の画像を、登録された人の画像として、蓄積する。例えば、人が撮影された画像を、不揮発性メモリなどに記憶することにより、蓄積する。また、登録画像蓄積部２０１は、蓄積された人の画像より、特徴量を抽出して記憶することを行なってもよい。例えば、人の画像より、その人の顔を認識するための情報を抽出してもよい。例えば、両目の感覚と鼻の最も盛り上がっている部分との位置関係を抽出してもよい。また、その人が着用している衣服の色を抽出してもよい。
【００２４】
図３は、登録画像蓄積部２０１に蓄積される情報の一例を示す。例えば、人が撮影された画像情報として１２３４．ｊｐｅｇというファイルに格納された情報が、人物識別子００１と関連付けられる。また、９８７６．ｊｐｅｇというファイルに格納された情報が、人物識別子００２と関連付けられる。また、５６７８．ｊｐｅｇというファイルに格納された情報が、人物識別子００１と関連付けられる。このように、一つの人物識別子と関連付けられる画像情報は複数存在していてもよい。
【００２５】
画像撮影部２０２は、画像を撮影する。上述したように、赤外線センサなどを用いて人が撮影領域に入ったことが検出されると画像撮影部２０２は、画像を撮影してもよいし、一定の時間になると画像を撮影してもよい。本発明において、画像撮影部２０２は、一つの画像を撮影することに限定されず、複数のＣＣＤ等の撮像素子などを用いて構成され、一度に複数の画像が撮影されるようになっていてもよい。また、複数の撮像素子などは異なる方向を向いていてもよいし、同じ方向を向いていてもよい。
【００２６】
複数の撮像素子などが同じ方向を向いている場合、それぞれの撮像素子などは、撮影の特性が異なっていてもよい。例えば、撮影を行なう波長が異なっていてもよい。一つの撮像素子などは、赤外線で撮影を行ない、別の撮像素子などは、通常の可視光線で撮影を行なってもよい。これにより、昼のときでも、照明が消された夜などの間であっても常時撮影を行なうことが可能となる。
【００２７】
また、通常の可視光線で撮影を行なう場合には、カラーで撮影を行なってもよいし、白黒で撮影を行なってもよい。また、撮影は静止画像で行なってもよいし、動画像で行なってもよい。
【００２８】
抽出部２０３は、画像撮影部２０２により撮影された画像より人の画像を抽出する。すなわち、画像認識の技術を用いて、人の画像を抽出する。抽出される画像は、人の画像の一部であってもよい。例えば、肌色の部分を抽出することにより、人の肌の領域を検出し、その領域内の目や鼻、口の有無を検出し、人の顔の画像を抽出してもよい。また、動画像の撮影や複数回の静止画像の撮影を行なう場合には、画像の変化を検出し、変化した部分が人の動きであることを想定して抽出を行なってもよい。
【００２９】
図４は、抽出部２０３の処理を説明するための図である。画像４０１が画像撮影部２０２により撮影されると、抽出部２０３は、例えば、画像４０１の肌色の部分を抽出し、その肌色の部分を含む領域を抽出する。肌色の部分は、撮影された人４０２の顔、手や足に対応するので、抽出部２０３は、肌色の部分を含む最小の矩形領域４０３を抽出してもよい。
【００３０】
判断部２０４は、抽出部２０３により抽出された人の画像と登録画像蓄積部２０１に蓄積されている人の画像とを比較し、抽出部２０３により抽出された人の画像が、登録された人の画像であるかどうかを判断する。例えば、判断部２０４は、登録画像蓄積部２０１に蓄積されている人の抽出部２０３により抽出された人の画像を順次読み出し、抽出部２０３により抽出された人の画像と類似度の比較を行なう。類似度の一例としては、画像のピクセルの色の分布がどの程度似ているかを用いることができる。比較の結果、最も類似すると判断された人の画像に関連付けられている人物識別子を求める。また、順次読み出された人の画像のいずれとも抽出された人の画像との類似度が一定の閾値未満であれば、登録されていない人であると判断してもよい。
【００３１】
記録部２０５は、判断部２０４による判断の結果に、その判断がされた時刻を関連付けて記録する。例えば、不揮発性メモリに、表形式で記録する。また、記録部２０５は、画像撮影部２０２により撮影された画像、抽出部２０３により抽出された人の画像を、判断部２０４による判断の結果にさらに関連付けて記録してもよい。
【００３２】
図５は、記録部２０５が記録する情報の一例を示す。例えば、人物識別子００２を有する人の画像が、抽出部２０３により抽出されたと判断部２０４に判断された時刻が２０１１年７月３日１０時５分であることが示されている。また、２０１１年７月３日１０時３４分に、登録されていないと判断された人の存在が記録されたことが図５に示されている。
【００３３】
閲覧可能化部２０６は、記録部２０５が記録した内容を、ネットワーク１０３を介して、閲覧可能とする。例えば、端末装置１０４からの閲覧要求を受信し、記録部２０５に記録された情報を送信する。
【００３４】
また、記録部２０５が、画像撮影部２０２により撮影された画像、抽出部２０３により抽出された人の画像を、判断部２０４による判断の結果にさらに関連付けて記録する場合には、画像撮影部２０２により撮影された画像や抽出部２０３により抽出された人の画像を閲覧可能としてもよい。また、現在の画像撮影部２０２により撮影されている画像を閲覧可能としてもよい。これにより、撮影が行なわれた時の状況や現在の状況を知ることが可能となる。
【００３５】
図６Ａは、本実施形態に係る撮影記録装置の処理を説明するフローチャートである。ステップＳ６０１において、画像撮影部２０２により撮影が行なわれたかどうかを判断する。例えば、画像撮影部２０２を構成する撮像素子などから画像信号が受信されたかどうかを判断する。もし、画像が撮影されれば、ステップＳ６０２に処理を移行させ、撮影された画像より、抽出部２０３により人の画像を抽出する。次に、抽出された画像を判断部２０４に転送し、ステップＳ６０３において、登録画像蓄積部２０１に蓄積されている人の画像と比較を行ない、ステップＳ６０４において、人物識別子を決定する。そして、ステップＳ６０５において、時刻を関連付けて記録部２０５に記録する。その後、端末装置１０４より、閲覧の要求があれば、記録部２０５に記録された情報を送信し、閲覧可能とする。
【００３６】
図６Ｂは、ステップＳ６０４において人物識別子を決定する処理をより詳細に説明するフローチャートである。図６Ｂのフローチャートの処理を実行する前提として、図６ＡのステップＳ６０３において、ステップＳ６０２の処理により抽出された画像と登録画像蓄積部２０１に蓄積されている人の画像とを比較した結果として、人物識別子毎に類似度が算出されるとする。類似度は、抽出された画像と登録画像蓄積部２０１に蓄積されている人の画像とがどの程度似ているかを示す指標である。以下では、抽出された画像と登録画像蓄積部２０１に蓄積されている人の画像と類似していれば大きな値となるとする。また、人物識別子に対して複数の画像が登録画像蓄積部２０１に蓄積されている場合には、抽出された画像と登録画像蓄積部２０１に蓄積されている複数の画像それぞれとを比較し、類似度の最大値を求めたり、あるいは、平均値を求めたりする。
【００３７】
ステップＳ６０４１において、類似度が第１の閾値を越える人物識別子を特定する。すなわち、複数の人物識別子が存在する場合には、抽出された画像と登録画像蓄積部２０１に蓄積されているそれぞれの人物識別子の画像とを比較して、人物識別子別の類似度を求め、類似度が第１の閾値を越える人物識別子を特定する。ステップＳ６０４１で特定された人物識別子を、以下ではＡとして表す。もし、類似度が第１の閾値を越える人物識別子が複数存在する場合には、最も大きな類似度の人物識別子を特定する。もし、複数の人物識別子に対して類似度が同じであれば、図６Ａのフローチャートを前回実行した際のステップＳ６０１で撮影されたときの位置関係から人物識別子を特定してもよい。類似度が第１の閾値を越える人物識別子が複数存在する場合には、特定不可能であるとして判断してもよい。なお、特定不可能である場合を示すために、ｕｎｋｎｏｗｎという人物識別子を以下用いる。
【００３８】
ステップＳ６０４２の処理として、Ａ以外の人物識別子の中に類似度が第２の閾値を越える人物識別子があるかどうかを判断する。第２の閾値は、第１の閾値よりも小さい値であることが好ましい。また、もしＡ以外の人物識別子の中に類似度が第２の閾値を越える人物識別子が複数ある場合には、最も大きな類似度の人物識別子を特定する。ステップＳ６０４２で特定された人物識別子を、以下ではＢとして表す。なお、複数の人物識別子に対して類似度が同じで有れば、それらの人物識別子からいずれか一つを選択する。例えば、ランダムに一つ選択する。
【００３９】
もし、ステップＳ６０４２の処理の結果、Ａ以外の人物識別子の中に類似度が第２の閾値を越える人物識別子が無ければ、ステップＳ６０４３へ処理を移行させ、ステップＳ６０４において決定する人物識別子をＡに決定する。
【００４０】
もし、ステップＳ６０４２の処理の結果、Ａ以外の人物識別子の中に類似度が第２の閾値を越える人物識別子Ｂがあれば、ステップＳ６０４４へ処理を移行させ、Ａの類似度とＢの類似度との差が第３の閾値を越えるかどうかを判断する。もし、差が第３の閾値を越えなければ、ステップＳ６０４において決定する人物識別子をｕｎｋｎｏｗｎに決定する。
【００４１】
Ａの類似度とＢの類似度との差が第３の閾値を越える場合には、ステップＳ６０４６へ処理を移行させ、ステップＳ６０４において決定する人物識別子をＡに決定する。
【００４２】
なお、ステップＳ６０４の処理の結果、人物識別子がｕｎｋｎｏｗｎに決定された場合には、ステップＳ６０５の実行を直ちに行なわなくてもよい。すなわち、ステップＳ６０４の処理の結果、人物識別子がｕｎｋｎｏｗｎに決定された場合には、図６ＡのフローチャートのステップＳ６０１からステップＳ６０４までの処理を所定の回数実行し、各回において人物識別子がｕｎｋｎｏｗｎに決定された場合に、ステップＳ６０５を実行して、ｕｎｋｎｏｗｎに時刻を関連付けて記録部２０５に記録してもよい。例えば、ステップＳ６０４の処理の結果、人物識別子がｕｎｋｎｏｗｎに決定された場合には、ステップＳ６０１からステップＳ６０４までの処理を1秒間隔で１０回繰り返して実行し、１０回全てにおいて、人物識別子がｕｎｋｎｏｗｎに決定された場合に、ステップＳ６０５を実行する。これは、直ちに人物識別子が特定できなくても、人が移動や向きを変えることにより、人物識別子が特定できる場合があるので、それを待って記録を行なうためである。これにより、無駄な情報の記録を抑制することができる。
【００４３】
なお、ステップＳ６０４の処理の結果、人物識別子がｕｎｋｎｏｗｎに決定され、図６ＡのフローチャートのステップＳ６０１からステップＳ６０４までの処理を所定の回数実行し終えないうちに、人が撮影されなくなった場合には、ｕｎｋｎｏｗｎに時刻を関連付けて記録部２０５に記録するのが好ましい。これは、撮影されなくなったということは、不法に侵入した者が、撮影されたことに気付いて姿をくらませた可能性が高いからである。このような場合には、不法侵入があった可能性が高いので、記録を行なうのが好ましい。
【００４４】
例えば、ステップＳ６０２の処理により抽出された画像と人物識別子αについて登録画像蓄積部２０１に蓄積されている画像との類似度（「αの類似度」と略記する。β、γについても同様である。）が８０、βの類似度が７０、γの類似度が５０であったとする。また、第１の閾値が７５、第２の閾値が６５、第３の閾値が２０であるとする。この場合、図６Ｂのフローチャートを実行すれば、ステップＳ６０４１により、Ａがαに特定され、ステップＳ６０４２により、Ｂがβに特定される。ステップＳ６０４４により、αの類似度とβの類似度との差が２０であり、第３の閾値を越えないので、ｕｎｋｎｏｗｎに決定される。
【００４５】
このように、３つの閾値を用いて人物識別子を決定することにより、似た人が検出された場合でも、確実な人物識別子に決定を行なうことができる。これは、一つの家庭内に親子や兄弟が一緒に住む場合には、親子や兄弟は互いに似ているので、誤った決定を防止することができる。
【００４６】
本実施形態に係る撮影記録装置２００は、ＣＰＵ（Ｃｅｎｔｒａｌ  Ｐｒｏｃｅｓｓｉｎｇ  Ｕｎｉｔ）などを用いた計算機によって構成することができる。例えば、登録画像蓄積部２０１および記録部２０５は、計算機の不揮発性メモリ（ＳＳＤ（Ｓｏｌｉｄ  Ｓｔａｔｅ  Ｄｒｉｖｅ）やＨＤＤ（Ｈａｒｄ  Ｄｉｓｋ  Ｄｒｉｖｅ））を用いて構成することができる。画像撮影部２０２は、ＣＰＵにバスを介して接続された撮像素子を用いて構成することができる。抽出部２０３や判断部２０４は、図６Ａのフローチャートを実現するプログラムをＣＰＵに実行させることにより実現できる。また、閲覧可能化部２０６は、ＣＰＵにバスを介して接続されたネットワークインターフェースと送受信を行なうウェブサーバを実現するプログラムをＣＰＵに実行させることにより実現できる。
【００４７】
なお、本実施形態に係る撮影記録装置２００は、計算機とプログラムとを用いて実現するほかに、専用のＬＳＩなどを組み合わせてハードウェアのみとして実現することもできる。
【００４８】
本実施形態によれば、撮影された人の画像をそのまま閲覧可能とするのではなく、登録された人の情報と比較して判断した結果が閲覧可能となるので、通信量を削減することなどが可能となる。また、判断部２０４の判断の結果に時刻を関連付けて記録されるので、同じ状態が続く場合の情報の閲覧をスキップすることが可能となる。
【００４９】
（実施形態２）
本発明の実施形態２として、撮影された人の画像により、人の移動を検出する撮影記録装置について説明する。
【００５０】
図７は、本実施形態に係る撮影記録装置の機能ブロック図を示す。撮影記録装置７００は、実施形態１に係る撮影記録装置の構成と同様に、登録画像蓄積部２０１と、画像撮影部２０２と、抽出部２０３と、判断部２０４と、記録部２０５と、閲覧可能化部２０６とを有する。本実施形態においては、抽出部２０３は、移動検出部７０１を有する。
【００５１】
移動検出部７０１は、画像撮影部２０２により撮影された人の画像より、その人の移動を検出する。例えば、移動検出部７０１は、画像撮影部２０２が異なる時間に撮影した画像間で変化した部分を検出し、その変化から人の移動を検出する。あるいは、抽出部２０３が人の画像を抽出したときの画像内の位置の変化に基づいて、人の移動を検出してもよい。
【００５２】
図８は、移動検出部７０１による人の移動の検出を説明する図である。画像８０１と画像８０４とが、画像撮影部２０２により異なる時間に撮影された画像であるとする。もし、画像撮影部２０２が動画像を撮影している場合には、画像８０１と画像８０４とは、異なるフレームにおける画像であるとする。この場合、抽出部２０３は、画像８０１より人８０２の画像８０３を抽出する。また、抽出部２０３は、画像８０４より人８０５の画像８０６を抽出する。そして、画像８０３の画像８０１に対する相対的位置と画像８０６の画像８０４に対する相対的位置とを比較して、人８０２、８０５の移動を検出する。なお、人８０２と人８０５とが同じ人であるかどうかを判断部２０４に判断させてもよい。あるいは、画像８０３と画像８０６との相対的位置の変化が所定の閾値以下であれば、人８０２と人８０５とが同じ人であると判断してもよい。
【００５３】
記録部２０５は、移動検出部により検出された移動の検出結果を判断部２０４の判断の結果に関連付けて記録する。例えば、図５に示す表に、移動の有無を示す列を付加した表に、移動検出部により検出された移動の検出結果を記録する。例えば、図９として示す表のように、記録部２０５は、図５に示す表に、移動の開始が検出された時刻と移動の終了が検出された時刻とを格納する列を追加した表に記録を行なってもよい。図９において、第１行に、人物識別子として００２を持つ人が、２０１１年７月３日１０時３分から移動を開始し、同日１０時１５分に移動を終了したことが記録され、第２行に、人物識別子として００１を持つ人が２０１１年７月３日１０時９分から移動を開始し、移動を継続していることが記録され、第３行に、人物識別子を判断することができなかった人が２０１１年７月３日１０時３４分から１０時５０分まで移動していたことが記録される。
【００５４】
また、移動検出部７０１の検出した移動の量、方向を外挿などすることにより、人の移動を予測することができる。これにより、人が移動して物陰などに一時的に隠れてその後に物陰から出てきたとしても、判断部２０４における判断を行うことなく、同一人物であることを検出することが可能となる。
【００５５】
なお、２０１１年７月３日１０時３４分から１０時５０分まで移動していた人の人物識別子がその後にｕｎｋｎｏｗｎ意外に決定すれば、表９の第３行の人物識別子をｕｎｋｎｏｗｎから、決定した人物識別子に変更してもよい。このことは、発明の概略として述べた「撮影された画像から抽出された画像の人が登録されていないと判断した場合であっても、撮影がされた人の動きを予測などして、登録されていないと判断されたが同じ人であることを認識しつつ追尾などを行ない、その後、登録された人であることが判明すると、その人の撮影が開始された時刻に遡って、登録された人であることを記録する」に対応する。
【００５６】
移動の検出結果としては、撮影される画像内の位置から、撮影される領域の座標をあらかじめ算出しておき、画像内での相対的位置の変化から移動の量の大きさを算出してもよい。また、画像８０１が撮影された時間と画像８０４が撮影された時間との時間差を算出し移動の量を除すことにより得られる移動の速さを記録してもよい。
【００５７】
判断部２０４が、登録された人であるかどうかを判断する場合には、移動の速さを用いてもよい。例えば、登録された人が乳児や高齢者であれば、移動の速さが小さいと予測されるので、移動の速さが所定の値未満であれば、登録された人のうち、乳児または高齢者であると判断してもよい。
【００５８】
また、本実施形態において、記録部２０５が、移動の量が所定以上であれば、移動検出部７０１により検出された移動の検出結果を判断部２０４の判断部による判断の結果に関連付けて記録してもよい。例えば、人が突然倒れるなどした場合の移動の量を所定量として記録部２０５などに設定しておけば、誰がいつ倒れたかを記録することができる。これにより、例えば脳卒中などで人が倒れた場合の処置を行うための情報を得ることが可能となる。
【００５９】
本実施形態により、移動の検出結果が記録されるので、大きな移動が発生したことを遠隔地より知ることができる。
【００６０】
（実施形態３）
本発明の実施形態３として、記録部２０５が記録した情報を定期的に送信する撮影記録装置について説明する。
【００６１】
図１０は、本実施形態に係る撮影記録装置の機能ブロック図を示す。撮影記録装置１０００は、実施形態１または２に係る撮影記録装置の構成と同様に、登録画像蓄積部２０１と、画像撮影部２０２と、抽出部２０３と、判断部２０４と、記録部２０５と、閲覧可能化部２０６とを有する。本実施形態においては、閲覧可能化部２０６は、送信部１００１を有する。
【００６２】
送信部１００１は、記録部２０５が記録した内容を定期的に送信する。送信は、例えば、ＳＭＴＰ（Ｓｉｍｐｌｅ  Ｍａｉｌ  Ｔｒａｎｓｆｅｒ  Ｐｒｏｔｏｃｏｌ）を用いて、電子メールによって行ってもよい。また、電子メールに限らず、所謂Ｐｕｓｈ送信の形態であればどのようなプロトコルが用いられてもよい。また、送信部１００１の送信先は、送信部１００１にあらかじめ設定された送信先、例えば端末装置１０４の使用者の電子メールアドレス、である。
【００６３】
送信される内容は、例えば、前回に送信された内容との差分であってもよい。例えば、前回の送信時以降に、記録部２０５が記録した情報となっていてもよく、新たに撮影された人の人物識別子と判断部２０４により判断された時間とが送信されてもよい。
【００６４】
また、抽出部２０３が移動検出部７０１を有する場合には、送信部１００１は、移動検出部７０１により検出された移動の量が所定の以上であれば、送信を行ってもよい。これにより、大きな動きが検出された場合には、異常な事態が発生した場合が多いので、異常の発生を迅速に伝達することができる。
【００６５】
本実施形態によれば、送信部により、記録された内容が送信されるので、端末装置の使用者が、撮影記録装置に送信要求を送信しなくても、記録された内容を得ることができる。
【００６６】
（実施形態４）
本発明の実施形態４として、統計処理を行う撮影記録装置について説明する。
【００６７】
図１１は、本実施形態に係る撮影記録装置の機能ブロック図を示す。撮影記録装置１１００は、実施形態１から３のいずれかに係る撮影記録装置の構成と同様に、登録画像蓄積部２０１と、画像撮影部２０２と、抽出部２０３と、判断部２０４と、記録部２０５と、閲覧可能化部２０６とを有する。本実施形態においては、閲覧可能化部２０６は、統計処理部１１０１を有する。
【００６８】
統計処理部１１０１は、記録部２０５が記録した内容の統計処理を行う。例えば、人物識別子ごとに、記録部２０５に記録した回数を算出する。あるいは、抽出部２０３が移動検出部７０１を有する場合には、移動の量や速さの毎日の移動平均を算出する。特に移動の速さの移動平均を算出する場合には、高齢者の体力の低下などを容易に検出することが可能となる。
【００６９】
統計処理部１１０１の統計処理により得ることができる数値としては、人物識別子ごとに、移動を行なっている時間の割合がある。例えば、ある人が撮影されている一時間に歩くなどして移動を行なっている時間が１５分、同じ場所に留まっている時間が４５分などの数値を得ることができ、また、移動の割合として０．２５という値を得ることができる。また、移動の速さを記録することにより、所定の期間における速さの最大値を求得ることができる。また、所定の時間において、特定の動作（例えば、手を前後させるなど）の回数を検出することができる。
【００７０】
以上のような数値を得ることにより、例えば、移動の割合、移動の速さの最大値、特定の動作を行なった回数などを記録することができ、これらの数値の一日ごとのの変化を検出することができる。また、一週間ごと、一月ごと、季節ごとの変化も検出することができる。例えば、これらの期間における平均、標準偏差、中間値、最多出現値を求め、異常を検出することができる。例えば、平均からの差の絶対値が、標準偏差の３倍を超えることで異常と判断することができる。
【００７１】
（実施形態５）
本発明の実施形態５として、撮影された画像を記録する撮影記録装置について説明する。
【００７２】
以上において説明した実施形態において、記録部２０５は、判断部２０４による判断の結果に、画像撮影部２０２により撮影された画像を記録してもよい。この場合、画像撮影部２０２により撮影された画像を、撮影記録装置の外部のサーバなどに記録し、外部のサーバなどに記録された画像のＵＲＬ（Ｕｎｉｆｏｒｍ  Ｒｅｓｏｕｒｃｅ  Ｌｏｃａｔｏｒ）などの識別子を、判断部２０４による判断の結果に関連づけて記録してもよい。
【００７３】
本実施形態においては、記録部２０５には、判断部２０４の判断の結果にその判断がされた時刻を関連付けて記録されている。したがって、もし、画像が記録され記憶領域の使用量が所定の量を越えた場合には、記録部２０５に記録されている時刻を用いて、過去に記録された画像から削除をすることもできる。これにより、記憶領域を効率的に使用することができる。
【００７４】
また、登録画像蓄積部２０１に新たな人の画像が蓄積された場合、その人の画像と記録部２０５に記録された画像とを比較することにより、その人の画像が記録部２０５に記録されていれば、記録部２０５に記録されている人物識別子を更新するようになっていてもよい。すなわち、判断部２０４による判断の結果が登録された人の画像でないと判断されて記録部２０５に記録された人の画像が、その後、判断部２０４による判断の結果が登録された人の画像であると判断されると、記録部２０５は、その人の画像に関連付けて記録されている判断部２０４による判断の結果を更新するようになっていてもよい。
【００７５】
また、記録部２０５は、記録を行なう都度、画像撮影部２０２により撮影された画像を記録する必要はなく、記録するかどうかを設定可能となっていてもよい。図１２は、この場合の撮影記録装置の機能ブロック図を示す。撮影記録装置１２００は、以上において説明した撮影記録装置の構成と同様に、登録画像蓄積部２０１と、画像撮影部２０２と、抽出部２０３と、判断部２０４と、記録部２０５と、閲覧可能化部２０６とを有し、さらに、記録設定部１２０１を有する。本実施形態では、閲覧可能化部２０６は、記録部２０５に記録された画像も閲覧可能とする。例えば、端末装置１０４の利用者が閲覧可能化部２０６により表示された画面の所定の位置をクリックすることにより、画像が表示され閲覧できるようになる。
【００７６】
記録設定部１２０１は、記録部２０５が、画像撮影部２０２により撮影された画像を、判断部２０４による判断の結果に関連付けて記録するかどうかを設定する。例えば、記録設定部１２０１は、記録するかどうかを設定し、「記録する」が設定されている間のみ、記録部２０５は、画像撮影部２０２により撮影された画像を、判断部２０４による判断の結果に関連付けて記録する。記録するかどうかは、例えば、時間により変化させることができる。これにより、画像撮影部２０２により撮影される人のプライバシーなどの理由で画像を記録しないことが望ましい時間帯を指定することができる。また、判断部２０４が特定の人を判断した場合にのみ、記録部２０５が、画像撮影部２０２により撮影された画像を、判断部２０４による判断の結果に関連付けて記録するようになっていてもよい。また、抽出部２０３が移動検出部７０１を有する場合には、検出される移動の量、速さなどに応じて、記録するかどうかの設定を行なうようになっていてもよい。
【００７７】
本実施形態においては、撮影された画像が記録されるので、遠隔地より画像を閲覧することが可能となる。また、登録画像蓄積部２０１に画像が蓄積されていない人が撮影された場合に、端末装置１０４などからの操作により、記録された画像を、登録画像蓄積部２０１に蓄積することができる。
【００７８】
（実施形態６）
本発明の実施形態６として、人の画像に加えて人の移動に関する情報を用いて人を認識する形態について説明する。
【００７９】
図１３は、本実施形態に係る撮影記録装置の機能ブロック図を示す。撮影記録装置１３００は、情報蓄積部１３０１と、画像撮影部２０２と、抽出部２０３と、判断部２０４と、記録部２０５と、閲覧可能化部２０６と、移動検出部７０１と、を有している。したがって、本実施形態に係る撮影記録装置は、実施形態２に係る撮影記録装置の登録画像蓄積部２０１が情報蓄積部１３０１に置換された構成となっていると考えることもできる。また、他の実施形態のように画像閲覧可能化部２０６が送信部１００１を有していたり、統計処理部１１０１を有していたりしてもよい。また、撮影記録装置１３００は記録設定部１２０１を有していてもよい。
【００８０】
情報蓄積部１３０１は、認識する人に関する情報を蓄積する。本実施形態では、他の実施形態における登録画像蓄積部２０１と同様に人の画像を登録された人の画像として蓄積するとともに、人の移動に関する情報を蓄積する。人の移動に関する情報とは、人の移動の俊敏さを表す情報である。例えば、人が移動する際の平均的な移動の速さである。通常、人が移動する際の平均的な移動の速さのみによって人を認識することには困難性があると考えられる。しかし、本実施形態に係る撮影記録装置は、主に家庭などの施設内に設置され、施設内に居住する人の数は少なく（例えば１人から５人程度）、また、年齢にばらつきがあるので、人が移動する際の平均的な移動の速さを用いてある程度の認識が可能である。
【００８１】
図１４は、人の移動に関する情報を「移動情報」という列に格納して、人物識別子と関連付けて格納する表データの一例を示す。例えば、人物識別子が００１の人の平均的な移動の速さは５０ｍ／秒として蓄積され、人物識別子が００２の人の平均的な移動の速さは３０ｍ／秒として蓄積されている。
【００８２】
図１５は、判断部２０４において、人の撮影が行われ登録された人であるかどうかを判断するために、用いられる表データの一例を示す。判断部２０４は、他の実施形態におけるのと同様の処理を行い、登録された人の人物識別子を決定しようとする。その際、画像のみにより人物識別子を確定的に決定するには困難な場合があるので、撮影された人に被認識者ＩＤを付与し、人物識別子とその人物識別子が決定あるいは推定された時刻を図１５の表に格納する。また、決定あるいは推定された人物識別子を用いて図１４の表データを参照し、その人の平均的な移動の速さを求め、一定時間後の位置を予想し、その位置情報を移動予想位置という列に格納する。
【００８３】
図１６は、移動予想位置の列に格納される位置情報の算出について説明する図である。撮影された人の現在位置が位置１６０１であるとすると、この位置１６０１を中心にして、平均的な移動の速さに一定時間後の経過時間を乗じて得られる距離１６０２を半径する円を求めることにより、その人が一定時間後に居ると予想される位置を求めることができる。ただし、現実には、人の動きの速さは必ずしも平均的な移動の速さとは限らないので、一定の幅を持った領域１６０３が得られる。領域１６０３は、ある扇形から半径の小さな扇形を除いた形状となっている。これは、人の撮影により、人の向きを推測することにより、移動方向が推測されるので、移動予想位置の形状が扇形に基づく形状となるからである。扇形の中心角は、画像撮影部２０２により撮影された画像から判断される人の向きの確からしさに応じて変更することができる。
【００８４】
一定時間後に画像撮影部２０２による撮影が行われると、移動予想位置に人がいるかどうかを検出し、その位置に人が検出されれば、人物識別子を再度推定するようにし、同じ人物識別子が得られれば、人物識別子の推定の確からしさの程度を上げることができる。また、移動予想位置に人が検出されなければ、人物識別子の推定の確からしさの程度を下げたり、人物識別子の推定は誤りであったと判断したりすることができる。この結果、不審人物の存在を推定することができる。
【００８５】
また、移動方向を推測し、一定時間後の移動予想位置を求めた場合、その移動予想位置と画像撮影部２０２との間に障害物が存在すると判断される場合には、その人が障害物を通過して再度撮影ができるようになる時間を予測してもよい。そして、予測された時間に撮影を行い、その人が障害物を通過したかどうかを検出して、画像からの人物識別子の推定を補完してもよい。
【００８６】
図１７と図１８は、本実施形態に係る撮影記録装置の処理のフローチャートを示す。図１７は、新たに人が画像撮影部２０２により撮影された場合の処理のフローチャートである。ステップＳ１７０１の処理として、被認識者ＩＤを、新たに撮影された人のＩＤを割り当てる。ステップＳ１７０２の処理として、判断部２０４により、人物識別子を推定する。ステップＳ１７０３の処理として、推定された人物識別子を用いて図１４の表データなどを参照して移動情報を求め、移動予想位置を求める。なお、人物識別子が推定できなければ、人物識別子をｕｎｋｎｏｗｎとし、移動予想位置は不定としてもよい。以上の処理により割り当てられた被認識者ＩＤ、人物識別子および移動予想位置を図１５の表データに格納し、現在の時刻を「推定時」の列に格納する。
【００８７】
図１８は、図１５の表データに格納されている被認識者についての順に処理を行う際のフローチャートである。ステップＳ１８０１の処理として、次の被認識者ＩＤがあるかどうかを判断する。次の被認識者ＩＤがなければ全ての被認識者について処理を行ったので、フローチャートの処理を終了する。次の被認識者ＩＤがあれば、ステップＳ１８０２に処理を移行させ、移動予想位置の範囲内に人がいるかどうかを判断する。もし、人がいなければ人物識別子の推定が正しくなかったとして、ステップＳ１８０３に処理を移行させて被認識者ＩＤを削除し、ステップＳ１８０１に戻る。なお、移動予想位置が不定であれば、ステップＳ１８０２の処理を行わずにステップＳ１８０１からステップＳ１８０４に移行してもよい。
【００８８】
ステップＳ１８０２の処理において、移動予想位置内に人がいれば、ステップＳ１８０４へ処理を移行させ、同じ人物識別子の人が「推定時」の列の値の時刻から一定時間以上いるかどうかを判断し、一定時間以上経過していれば、人物識別子を確定し、記録部２０５に記録する。一定時間以上経過していなければ、ステップＳ１８０１へ戻る。なお、移動予想位置が不定であれば、前に撮影された画像と現在の画像とから移動速度を求めることもできる。
【００８９】
図１８のフローチャートの処理が一回終われば、各被認識者ＩＤの移動予想位置を更新する。
【００９０】
図１７と図１８のフローチャートに対しては、種々の変形を行うことができる。例えば、ステップＳ１８０２とＳ１８０３との処理において、移動予想位置内に人がいなければ被認識者ＩＤを削除するが、例えば、人物識別子の確からしさを下げるようにし、一定の値を下回った際に削除するようにしてもよい。また、ステップＳ１８０２において人が移動せず、しかも一定以上の時間が経過していれば、異常事態が発生したとして記録部２０５にその旨を記録したり、所定の電子メールアドレスに電子メールを送信したりしてもよい。また、時間に応じて、記録部２０５にその旨を記録したり、所定の電子メールアドレスに電子メールを送信したりすることを省略してもよい。例えば、夜間であれば、睡眠を取っていると判断されることが多いので、異常事態であると判断する必要はない。
【００９１】
（実施形態７）
「抽出部」、「登録画像蓄積部（情報蓄積部）」、「判断部」、「記録部」及び「閲覧可能部」の全て又は一部をインターネットと接続されたサーバに備える形態も可能である。すなわち、いわゆるクラウド化が可能である。
【００９２】
図１９は、画像撮影装置１９０１と、画像装置１９０１から画像を受信するサーバ１９０３と、を備えるシステムの機能ブロック図を示す。画像撮影装置１９０１とサーバ１９０３とは、ネットワーク１９０４を介して接続される。画像撮影装置１９０１は、家屋などの施設１０１に設置され、サーバ１９０３は、データセンターなど、施設１０１から離れた場所に設置することができる。画像撮影装置１９０１が例えば施設１０１内の画像を撮影すると、ネットワーク１９０４を介して画像がサーバ１９０３に送信される。サーバ１９０３は、受信した画像に対して、実施形態１−６により説明したように抽出部２０３、登録画像蓄積部２０１、判断部２０４、記録部２０５及び閲覧可能化部２０６を動作させて、処理を行う。
【００９３】
すなわち、本実施形態は、実施形態１−６において、撮影記録装置の撮影部を画像撮影装置１９０１として施設１０１に設置し、撮影記録装置の他の部を施設１０１から離れた場所に設置した形態ということもできる。
【００９４】
図１９では、抽出部２０３、登録画像蓄積部２０１、判断部２０４、記録部２０５及び閲覧可能下部２０６がサーバ１９０３に備えられているが、これらを複数のサーバに分散させて備えることも可能である。
【００９５】
このような構成により、「画像撮影部」を有する端末装置（ネットワークカメラ等）の機能を絞りこむことができ、小型化・軽量化・低コスト化が期待できる。また、機能が端末装置側に分散させることなく、サーバ側に集約できるので、「閲覧可能化部」の機能拡張も容易になることが期待できる。これにより、撮像記録装置の設置場所と管理者とが異なった場所に居ることができる。例えば、詳細な知識を有しない老人などの家に撮像記録装置を設置しても、外部から管理することができる。したがって、ユーザビリティの向上が期待できる。
【００９６】
（実施形態８）
本発明は、撮影された画像以外を利用して実施することも可能である。実施形態１−７において、さらに、生活にかかわる情報をセンシングして、それにより行動を予測することが可能である。ここに、生活にかかわる情報とは、屋内の温度や湿度、照度、電力に関する情報である。このような生活にかかわる情報は、画像撮影記録装置や画像撮影装置とともに施設１０１に設置されたセンサによって収集することができる。収集された情報は、画像撮影記録装置内で処理がされたり、サーバに送信されてサーバ内で処理がされたりする。
【００９７】
このような処理により、異常事態が発生したことを検出したり、異常事態が発生することを予測したりすることができる。例えば、夜間に照度が継続的に高い場合には、照明を消し忘れたことあるいは異常事態が発生したことが推測できる。テレビの消費電力が放送時間外でも大きい場合にも同様である。夏季において温度や湿度が高い状態が係属している場合にも異常事態が発生したこと、あるいは、異常事態が発生することが推測させる。このように、生活にかかわる情報と連携することにより、さらに精度の高い推測が可能である。
【符号の説明】
【００９８】
２００  撮影記録装置、２０１  登録画像蓄積部、２０２  画像撮影部、２０３  抽出部、２０４  判断部、２０５  記録部、２０６  閲覧部
【図１】
2013069565.tif 000003
【図２】
2013069565.tif 000004
【図３】
2013069565.tif 000005
【図４】
2013069565.tif 000006
【図５】
2013069565.tif 000007
【図６Ａ】
2013069565.tif 000008
【図６Ｂ】
2013069565.tif 000009
【図７】
2013069565.tif 000010
【図８】
2013069565.tif 000011
【図９】
2013069565.tif 000012
【図１０】
2013069565.tif 000013
【図１１】
2013069565.tif 000014
【図１２】
2013069565.tif 000015
【図１３】
2013069565.tif 000016
【図１４】
2013069565.tif 000017
【図１５】
2013069565.tif 000018
【図１６】
2013069565.tif 000019
【図１７】
2013069565.tif 000020
【図１８】
2013069565.tif 000021
【図１９】
2013069565.tif 000022
【国際調査報告】
2013069565.tif 000023
2013069565.tif 000024
2013069565.tif 000025
2013069565.tif 000026